(57)【要約】      （修正有）【課題】緩やかな攪拌効果により液体に気泡が混入するのを防止し、短時間での均質化が可能な攪拌装置を提供する。【解決手段】  傾斜して設置した多角柱形の缶体３に、混合しようとする液体・粉体を入れ、多角柱の軸を中心にした緩やかな回転運動と反転運動を与えることにより、気泡の混入しない均一な混合体を生成する。  撹拌効果の低くなる粘度の高い液体などには、ステンレスの様な比重の大きい物質の球体を、沈下して回転することにより高い撹拌効果を得ることが出来る。【選択図】図２
2009022943.tif 000002
【特許請求の範囲】
【請求項１】
この発明は比重の異なる複数の液体、或いは液体と粉体、又は複数の粉体を撹拌して均一に混合する装置に関するものである。
【請求項２】
比重の異なる複数の液体、或いは液体と粉体、又は複数の粉体を撹拌して均一に混合する装置において、正転、逆転の繰り返しにより、撹拌効果を高める装置に関するものである。
【請求項３】
比重の異なる複数の液体、或いは液体と粉体、又は複数の粉体を撹拌して均一に混合する装置において、撹拌効果の低くなる粘度の高い液体などには、ステンレスの様な比重の大きい物質の球体を、沈下して回転することにより撹拌効果を高める装置に関するものである。
【発明の詳細な説明】
【発明の詳細な説明】
【技術分野】
【０００１】  この発明は比重の異なる複数の液体、或いは液体と粉体、又は複数の粉体を撹拌して均一な混合体を生成し、かつ液体を撹拌する際の気泡の発生と混入を解消する装置に関するものである。
【背景技術】
【０００２】  従来、比重の異なる二種の液体の混合や、液体と比重の異なる粉体の混合などには、缶体の中の液体や粉体の中にスクリューや螺旋板を入れ、回転させて撹拌混合をするか、缶体を中心軸Ｘ方向、またはＹ方向に回転させて撹拌効果を得ようとするものであった。
しかし、これらの方法では、缶体の底部隅では撹拌の力が及ばず、不均一な混合体を得ることになり、品質を悪化させる。
また混合体に化学反応を伴う場合、混合が不均一では未反応の部分が残り、品質に著しい悪影響を及ぼす。また不均一を解消するための強い回転、撹拌は、液体に気泡を混入させ、混合体の品質を著しく悪化させることが多い。そのため、液体への気泡混入の排除のために、缶体内を真空にする必要も生じてきている。
【特許文献１】特許公開２００２−２８２６６６
【特許文献２】特許公開平５−１１５７６５
【特許文献３】特許公開平９−１１７７１２
【発明の開示】
【発明が解決しようとする課題】
【０００３】  従来の撹拌機では、混合させる物質の比重が異なると、比重の大きい物質は缶体の下部に沈殿して混合しにくく、均質になるまでの撹拌には時間と手間がかかる。そのうえ、缶体の下部隅に沈殿した物質は液層に拡散しきらず、不均質な状態が解消されない。混合により化学反応を起こす物質においては、未反応の部分が出来て、組成の違う物質の混合体が生成され、反応後の合成物の低純度が生じ、収量が落ちるなどの悪い結果を生じる。
また、従来の撹拌法では、液面の撹拌、振動などにより、液体への気泡の混入が起こり、混合物の品質に大きな害を及ぼすことが多い。
【課題を解決するための手段】
【０００４】  傾斜して設置した多角柱形の缶体に、混合しようとする液体・粉体を入れ、多角柱の軸を中心にした緩やかな回転運動と反転運動を与えることにより、気泡の混入しない均一な混合体を生成する。
撹拌効果の低くなる粘度の高い液体などには、ステンレスの様な比重の大きい物質の球体を、沈下して回転することにより撹拌効果を高めることが出来る。
【発明の効果】
【０００５】  本装置では、多角柱形の缶体を、軸を中心に低速で正回転、或いは正逆交えて回転させることにより、缶体中の液体は慣性モーメントによって円運動を起こす。円柱の中の回転運動とは異なり、慣性で回転する液体は缶体の平面に衝突して、缶体の平面が、円柱の缶体に取り付けた邪魔板と同じ効果をおよぼし、撹拌の力が加わる。
これは、邪魔板やスクリューによる撹拌とは異なり、面に衝突する緩やかな撹拌効果が得られるため、液体に気泡が混入する危険は阻止される。そのうえ、液体全体を回転させるため、部分的な撹拌に比較して、短時間での均質化が可能である。
また、正転と逆転を繰り返すことにより、慣性で回転する液体に缶体の平面が強く衝突するため、より高い撹拌効果が得られる。【０００６】  本発明では、缶体を傾斜して回転するため、底部隅に沈殿した比重の高い物質は、回転により上部に移行するため、位置エネルギーが変わって自重で底部斜面を下がるムーブメントが起こり、より上の液層との混合効果が起こり、缶体の底部隅に至るまで撹拌が行き渡る。
以上のような当装置の利点により、均質で気泡の混ざらない混合物を短時間に生成することが可能になる。また、缶体を真空にするような必要も無く、単純な設備で、大きな動力も必要としないで、十分な撹拌効果が得られる。【０００７】  缶体底部に比重の高い球体を沈下することにより、球体は底部で上下運動を起こし、また粉体、液体との摩擦抵抗により、より高い撹拌効果が得られる。
【発明を実施するための最良の形態】
【０００８】  傾斜して設置された多角柱形の缶体を、モーターにより回転させて、缶体中の比重の異なる複数の物質を撹拌混合する。
【実施例１】
【０００９】このために、小規模では４角柱形一斗缶を傾斜した回転台の上に設置して、回転台を低速での正逆回転可能なモーターで、缶体軸を中心に回転運動を与える。一斗缶を使用した場合、缶体のふたを閉じたままの撹拌が可能で、混ざり難いものは上下逆に設置すると、大きい撹拌効果を得られ、また埃など他の混入物を防ぐことが容易である。
【実施例２】
【００１０】また大規模装置では、回転可能な缶体の外周にギアを設け、ギアを介して低速での正逆回転可能なモーターで回転運動を与え、撹拌を行う。
【産業上の利用可能性】
【００１１】  比重の異なる物質の混合の必要性は、相互物質の溶解性、非溶解性を問わず、多岐な分野にわたって重要な課題である。殊に気泡の混入しない均一な混合体を得ることは、多くの製品の製造分野においては大きな課題である。
また不均一な混合体を生成することは、品質の上からも、純度の上からも問題が大きい。この課題を克服する本撹拌装置は。今後薬品、食品、塗料、窯業等での大きな需要が見込まれる。
【図面の簡単な説明】
【００１２】
【図１】  多角柱形缶体３は、傾斜角をもって設置された回転台２の上に設置し、下部に設置された低速で正逆回転可能なモーター駆動装置１により、傾斜角を保ったまま回転、撹拌する。
【００１３】
【００１４】〔図１〕立面図【００１５】〔図２〕正面図
〔図面の簡単な説明〕【００１６】〔図１〕平面図
多角柱缶体の一例として一斗缶に対応した、小規模撹拌装置の実施方法を平面図で説明した図である。（実施例１）【００１７】〔図２〕正面図
多角柱缶体の一例として一斗缶に対応した、小規模撹拌装置の実施方法を正面図で説明した図である。（実施例１）
缶体３は、傾斜角をもって設置された回転台２の上に設置し、下部に設置された低速で正逆回転可能なモーター駆動装置１により、傾斜角を保ったまま回転、撹拌する。
【図１】
2009022943.tif 000003
【図２】
2009022943.tif 000004
【手続補正書】
【提出日】平成19年12月13日(2007.12.13)
【手続補正２】
【補正対象書類名】明細書
【補正対象項目名】００１２
【補正方法】変更
【補正の内容】
【００１２】
【図１】  本装置を上から見下ろした平面図であり、多角柱缶体の一例として一斗缶に対応した、小規模撹拌装置の実施方法を説明した図である。（実施例１）
【図２】  本装置を側面から見た正面図であり、多角柱缶体の一例として一斗缶に対応した、小規模撹拌装置の実施方法を説明した図である。（実施例１）  多角柱形の缶体３を、傾斜角をもって設置された回転台２の上に設置し、回転台の下部に設置された低速で正逆回転可能なモーター駆動装置１により、多角柱形缶体３を傾斜角を保ったまま回転し、缶体内の試料は撹拌の効果を得る。  缶体３の軸を中心に低速で正回転、或いは正逆交えて回転させることにより、缶体中の液体は慣性モーメントによって円運動を起こす。慣性で回転する液体は缶体の平面に衝突して、缶体の平面が、円柱の缶体に取り付けた邪魔板と同じ効果をおよぼし、撹拌の力が加わる。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】